【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
記録材上の画像をニップ部にて加熱する加熱回転体を冷却するための送風冷却機構であって、
送風口を有するダクトと、
前記加熱回転体の所定の領域を冷却するために、前記ダクトを介して前記送風口に向かって空気を吹き込むファンと、
前記送風口を開閉するように移動可能な第１のシャッタ部材と、
前記第１のシャッタ部材と協働して前記送風口を開閉するように移動可能な第２のシャッタ部材であって、前記送風口を開くときに前記第２のシャッタ部材の一部が前記第１のシャッタ部材が重なる第２のシャッタ部材と、
前記第２のシャッタ部材に係合して前記第２のシャッタ部材に駆動力を伝える第１のギアと、
前記第１のシャッタ部材が前記第２のシャッタ部材の移動に伴って移動するように、前記第２のシャッタ部材から前記第１のシャッタ部材に駆動力を伝える第２のギアと、
前記ダクトに設けられ、前記第２のシャッタ部材と嵌合し、前記第２のシャッタ部材が前記送風口を開閉する際に前記第２のシャッタ部材の移動を案内する第１のガイド部と、
前記第２のシャッタ部材に設けられ、前記第１のシャッタ部材と嵌合し、前記第１のシャッタ部材が前記送風口を開閉する際に前記第１のシャッタ部材の移動を案内する第２のガイド部と、を備え、
前記第２のガイド部は、前記第１のシャッタ部材が前記送風口を閉じる位置に位置するときに、前記第１のシャッタ部材が前記第２のシャッタ部材と係合する位置まで前記第１のシャッタ部材の移動方向に沿って延びるように配置されていることを特徴とする送風冷却機構。
【請求項２】
前記第１のシャッタ部材及び前記第２のシャッタ部材は、前記閉じ位置と、前記送風口の開口幅を第１の幅にするための第１の開き位置と、前記送風口の開口幅を前記第１の幅よりも大きい第２の幅にするための第２の開き位置と、を取り得るように移動可能であって、
前記第１のシャッタ部材及び前記第２のシャッタ部材が前記第２の開き位置に位置するときに前記第１のシャッタ部材と前記第２のシャッタ部材が互いに重なり合う領域は、前記第１のシャッタ部材及び前記第２のシャッタ部材が前記第１の開き位置に位置するときに前記第１のシャッタ部材と前記第２のシャッタ部材が互いに重なり合う領域よりも大きいことを特徴とする請求項１に記載の送風冷却機構。
【請求項３】
前記第１のシャッタ部材及び前記第２のシャッタ部材の前記第１の開き位置及び前記第２の開き位置を検知する検知手段を有することを特徴とする請求項２に記載の送風冷却装置。
【請求項４】
前記ダクトに前記ファンが配置されていることを特徴とする請求項１乃至３の何れか１項に記載の送風冷却装置。
【請求項５】
第１のシャッタ機構と第２のシャッタ機構を含む複数のシャッタ機構を備え、
前記複数のシャッタ機構は、それぞれ前記第１のシャッタ部材、前記第２のシャッタ部材及び前記第２のギアを含み、
記録材の搬送が中央基準搬送であり、
前記ダクトは、第１の送風口と第２の送風口を含み、前記第１の送風口及び前記第２の送風口は、前記中央基準搬送の基準線に対して対称的に配置され、
前記第１のシャッタ機構及び前記第２のシャッタ機構は、前記第１の送風口及び前記第２の送風口に対応して配置されていることを特徴とする請求項１乃至４の何れか１項に記載の送風冷却装置。
【請求項６】
記録材上の画像をニップ部にて加熱する加熱回転体と、
請求項１に記載の送風冷却機構と、を有することを特徴とする画像加熱装置。
【請求項７】
請求項６に記載の画像加熱装置を備えることを特徴とする画像形成装置。
【請求項８】
前記送風口は、前記加熱回転体の一端側と対向する前記ダクトの一端側に設けられていることを特徴とする請求項６に記載の画像加熱装置。
【請求項９】
第１のシャッタ機構と第２のシャッタ機構を含む複数のシャッタ機構を備え、
前記複数のシャッタ機構は、それぞれ前記第１のシャッタ部材、前記第２のシャッタ部材及び前記第２のギアを含み、
前記ダクトは、第１の送風口と第２の送風口を含み、前記第１の送風口は、前記加熱回転体の一端側に対向する前記ダクトの一端側に設けられ、前記第２の送風口は、前記加熱回転体の他端側に対向する前記ダクトの他端側に設けられ、
前記第１のシャッタ機構及び前記第２のシャッタ機構は、前記第１の送風口及び前記第２の送風口に対応して配置されていることを特徴とする請求項６に記載の画像加熱装置。
【請求項１０】
前記第１のシャッタ部材及び前記第２のシャッタ部材は、前記送風口を開閉する際に同じ方向に移動することを特徴とする請求項１に記載の送風冷却機構。
【請求項１１】
前記第１のシャッタ部材及び前記第２のシャッタ部材は、前記送風口を開閉する際に、前記加熱回転体の回転軸線方向に沿って移動することを特徴とする請求項１に記載の送風冷却機構。
【請求項１２】
前記第１のシャッタ部材は、移動方向に関して前記第２のシャッタ部材の外側に位置することを特徴とする請求項１に記載の送風冷却機構。
【手続補正２】
【補正対象書類名】明細書
【補正対象項目名】００１６
【補正方法】変更
【補正の内容】
【００１６】
上記の目的を達成するための本発明に係る送風冷却装置の代表的な構成は、
記録材上の画像をニップ部にて加熱する加熱回転体を冷却するための送風冷却機構であって、
送風口を有するダクトと、
前記加熱回転体の所定の領域を冷却するために、前記ダクトを介して前記送風口に向かって空気を吹き込むファンと、
前記送風口を開閉するように移動可能な第１のシャッタ部材と、
前記第１のシャッタ部材と協働して前記送風口を開閉するように移動可能な第２のシャッタ部材であって、前記送風口を開くときに前記第２のシャッタ部材の一部が前記第１のシャッタ部材が重なる第２のシャッタ部材と、
前記第２のシャッタ部材に係合して前記第２のシャッタ部材に駆動力を伝える第１のギアと、
前記第１のシャッタ部材が前記第２のシャッタ部材の移動に伴って移動するように、前記第２のシャッタ部材から前記第１のシャッタ部材に駆動力を伝える第２のギアと、
前記ダクトに設けられ、前記第２のシャッタ部材と嵌合し、前記第２のシャッタ部材が前記送風口を開閉する際に前記第２のシャッタ部材の移動を案内する第１のガイド部と、
前記第２のシャッタ部材に設けられ、前記第１のシャッタ部材と嵌合し、前記第１のシャッタ部材が前記送風口を開閉する際に前記第１のシャッタ部材の移動を案内する第２のガイド部と、を備え、
前記第２のガイド部は、前記第１のシャッタ部材が前記送風口を閉じる位置に位置するときに、前記第１のシャッタ部材が前記第２のシャッタ部材と係合する位置まで前記第１のシャッタ部材の移動方向に沿って延びるように配置されていることを特徴とする。
【手続補正３】
【補正対象書類名】明細書
【補正対象項目名】０１０１
【補正方法】変更
【補正の内容】
【０１０１】
このシャッタ全閉状態において、シャッターモータＭ２がＣＷ方向（図１５、図１６において矢印Ｄ方向）に回転駆動される。そうすると、シャッターモータＭ２の出力ギアＭＧに噛み合った駆動ピニオンギア（第１のギア）４１が矢印Ｅ方向（図１５では時計回り）に回転する。そして、駆動ピニオンギア４１と噛み合った、内シャッタ部材３６Ｒに形成されたラック形状４２Ｒが駆動ピニオンギア４１の回転によって力を受ける。
【手続補正４】
【補正対象書類名】明細書
【補正対象項目名】０１０５
【補正方法】変更
【補正の内容】
【０１０５】
そのため、シャッターピニオンギア（第２のギア）３５Ｒが内シャッタ部材３６Ｒと共に移動しながら回転すると、ラック形状４４Ｒは、シャッターピニオンギア３５Ｒを介してアセンブリ１０の長手方向に移動する力を受ける。これによって、内シャッタ部材３６Ｒが長手方向（Ｆ方向）に移動するのと連動して、外シャッタ部材３７Ｒも同じ方向（Ｈ方向）に移動する。
【手続補正５】
【補正対象書類名】明細書
【補正対象項目名】０１０８
【補正方法】変更
【補正の内容】
【０１０８】
ここで、本実施例のシャッタの保持構成は、第２のシャッタ部材である内シャッタ部材３６Ｒに設けられたガイド部４７Ｒが、ダクト３２Ｒに設けられた内シャッタ部材規制部（第１のガイド部）４６Ｒに嵌合している。また、第１のシャッタ部材である外シャッタ部材３７Ｒに設けられたガイド部４８Ｒは、内シャッタ部材３６Ｒに設けられた外シャッタ部材規制部（第２のガイド部）４９Ｒに嵌合している。そして、シャッターモータＭ２の回転により、第１のシャッタ部材、第２のシャッタ部材がそれぞれ並進運動できるように保持する構成とした。